(57)【要約】【課題】成形時の樹脂流動からサスペンションが受ける応力が不均一になる。そのことが可動部レンズ面の傾きをばらつかせ可動部レンズ搭載面にレンズを搭載した状態でレンズの傾きの挙動を悪化させる。【解決手段】光ピックアップ用樹脂成形品において、固定部及び可動部の正面側及び背面側に樹脂成形体からサスペンションバネが露出するように樹脂成形体を貫通している開口部とを備え、固定部と可動部の正面及び背面にインサート成形されるサスペンションバネを押圧するためのピンが付設している成形金型で成形を行うことにより、可動部レンズ面の傾きをばらつかせることなく、可動部レンズ搭載面にレンズを搭載した状態でのレンズの傾きの挙動を安定にすることができる。その結果、光ピックアップ部品の所望の特性を得ることができ、歩留り向上につながる。【選択図】図１
2006012342.tif 000002
【特許請求の範囲】
【請求項１】
レンズが搭載されている可動部と、前記可動部を支持する固定部とからなり前記可動部と前記固定部との間は前記可動部が平行移動するためのリンク機構を構成する４本の金属板からなるサスペンションバネにより連結され、前記サスペンションバネは、その両端が前記可動部及び前記固定部にインサート射出成形されてなり、前記固定部に前記サスペンションバネを底面とする開口部が設けられた光ピックアップ用部品。
【請求項２】
前記固定部の正面および背面に前記開口部が設けられた請求項１記載の光ピックアップ用部品。
【請求項３】
前記サスペンションバネ底面部に凹部が設けられた請求項１または請求項２記載の光ピックアップ用部品。
【発明の詳細な説明】
【技術分野】
【０００１】
本発明は光ディスクプレーヤー等に用いられる光ピックアップ用部品に関し、光路のバラツキを抑制する成形技術に関するものである。
【背景技術】
【０００２】
従来の技術を図４及び図５をもって以下に説明する。
【０００３】
まず図４の構成として、１０１はＤＶＤプレーヤー等の光ピックアップ用部品、１０２は銅あるいは銅合金よりプレス金型を用いて所望の形状に打抜かれたリードフレーム、１０３は光ピックアップ用部品の固定部、１０４は光ピックアップ用部品の可動部、１０５は可動部と固定部を機械的及び電気的に連結するサスペンションバネ、１０６は光学レンズを搭載するレンズ搭載部である。
【０００４】
次に図５の構成として、２１３は可動部と固定部を機械的及び電気的に連結するサスペンションバネ、２１４はインサート射出成形用金型の上層金型、２１５はインサート射出成形用金型の下層金型、２１６は可動部１０４及び固定部１０３を熱可塑性樹脂や熱硬化性樹脂等の合成樹脂で形成される樹脂成形体である。
【０００５】
上記の構成により、リードフレーム１０２をインサート射出成形する樹脂成形品として、光ピックアップ用のレンズ及びコイルが搭載されている可動部１０４と、前記可動部１０４を支持する固定部１０３とから成る光ピックアップ用部品１０１がある。この部品においては、可動部１０４と固定部１０３との間は可動部１０４が平行移動するためのリンク機構を構成する４本の金属板からなるサスペンションバネ１０５により連結され、そのサスペンションバネ１０５は、その両端が可動部１０４及び固定部１０３にインサート射出成形されており、コイルへの通電材料としても機能する。また、可動部１０４及び固定部１０３はピックアップユニットに組み込まれ、可動部１０４は固定磁石に対面し、コイルへの通電により可動部１０４が移動し、フォーカス調整が行われるようになっている。このような光ピックアップ用部品１０１において、製品のフォーカス調整を正確に行うために、成形時のバネの挙動は非常に重要になってくる。
【０００６】
なお、この出願の発明に関連する先行技術文献情報としては、例えば特許文献１が知られている。
【特許文献１】特開２００１−３１５１５８号公報
【発明の開示】
【発明が解決しようとする課題】
【０００７】
しかしながら、上記可動部１０４及び固定部１０３の樹脂成形条件やサスペンションバネ１０５へのインサート射出成形は、成形時の樹脂流動の粘度を全ての箇所で均一に保つことは不可能なので、サスペンションバネ１０５が受ける応力が不均一になる。この応力によりサスペンションバネ１０５が変形を起こし、可動部レンズ搭載部１０６の位置をばらつかせ、可動部レンズ搭載部１０６にレンズを搭載した状態で、レンズの傾き挙動を悪化させる。その結果、光ピックアップの可動部１０４における可動していない初期状態の静的特性が得られなくなり、光ピックアップ用部品の所望の特性のフォーカス調整を正確に行えなくなってしまうといった不良品が生じ、歩留り低下に繋がっていた。
【課題を解決するための手段】
【０００８】
上記課題を解決するために本発明の光ピックアップ用部品は、レンズが搭載されている可動部と、可動部を支持する固定部とからなり可動部と固定部との間は可動部が平行移動するためのリンク機構を構成する４本の金属板からなるサスペンションバネにより連結され、サスペンションバネは、その両端が可動部及び固定部にインサート射出成形されてなり、固定部に前記サスペンションバネを底面とする開口部が設けられたものである。これによれば、レンズ傾斜角を調整することが可能となり、光路のバラツキを抑制することが出来る。
【発明の効果】
【０００９】
以上のように、本発明の光ピックアップ用部品によれば、可動部のレンズ面の挙動をばらつかせることなく、可動部レンズ搭載面にレンズを搭載した状態でのレンズの挙動を安定にすることができる。その結果、光ピックアップ用部品の所望の特性のフォーカス調整を正確に行えることができ、歩留り向上につながる。
【発明を実施するための最良の形態】
【００１０】
以下本発明の実施の形態について、図面を参照しながら説明する。
【００１１】
図１は光ピックアップ用部品１の斜視図である。図２において図２（ａ）は図１の正面図で、図２（ｂ）は図１の背面図である。その図１及び図２において、１はＤＶＤプレーヤー等の光ピックアップ用部品、２は銅あるいは銅合金よりプレス金型を用いて所望の形状に打抜かれたリードフレーム、３は光ピックアップ用部品の固定部、４は光ピックアップ用部品の可動部、５は固定部サスペンションバネが露出するように付設された開口部、６は正面におけるインサート射出成形用金型のピンが押圧する第１主面、７は背面におけるインサート射出成形用金型のピンが押圧する第２主面、８は可動部と固定部を機械的及び電気的に連結するサスペンションバネ、９は樹脂成形体がすり鉢状に貫通されたカップ部の孔径が最大の面に光学レンズを載置するレンズ搭載部である。この構成の中で上面は樹脂成形体がすり鉢状に貫通されたカップ部の孔径が最大の面をレンズ搭載面と定義し、下面は樹脂成形体がすり鉢状に貫通されたカップ部の孔径が最小の面と定義する。
【００１２】
光ピックアップ用部品の固定部の正面及び背面にはインサート射出成形されるサスペンションバネ８を固定するためのピン（図示せず）が挿入される開口部５を有している。この開口部５は金型に付設しているピン（図示せず）によって形成される。
【００１３】
また、サスペンションバネ８において、開口部５より露出した第１主面６及び第２主面７の凹部で、３μｍから３０μｍまでの深さを形成する理由として、ピン（図示せず）の押え量を３μｍから３０μｍに調整されることによってレンズの傾きの変動量を調整することができる。その変動量とは、レンズの傾き度合いを数値化したものである。例えば、変動量０．３０°と言えば、強制的にレンズの傾きを０．３０°傾かせたことである。このことを利用して、規格値より傾きが０．３０°ずれていた場合、ピンの押え量を調整して、その０．３０°を打ち消すように、−０．３０°傾かせるために可動部もしくは固定部に押えピン（図示せず）を２０μｍ押さえ込むことによって矯正する。
【００１４】
例として、ピン（図示せず）の押え量と変動量の依存性を表１に示す。
【００１５】
【表１】
2006012342.tif 000003
【００１６】
結果、４本のバネのバランスを保ち、レンズ面にレンズを載せた場合のレンズの傾きを一定に保つことができ、光ピックアップの所望の特性のフォーカス調整を正確に行えることができ、歩留り向上につながる。
【００１７】
図３は、本発明の実施の形態１の光ピックアップ用部品を製造するインサート射出成形用金型の断面図である。図３において、図１および図２と同じ構成要素については同じ符号を用い、説明を省略する。
【００１８】
図３において、１０はインサート射出成形用金型の上層金型、１１はインサート射出成形用金型の下層金型、１２はインサート射出成形されるサスペンションバネ８を押圧するためのピン、１３は可動部４及び固定部３を熱可塑性樹脂や熱硬化性樹脂等の合成樹脂で形成される樹脂成形体である。
【００１９】
また、サスペンションバネ８を押えるためのピン１２は心円であることが望ましく、ピンが角形状であるとその角のエッジからサスペンションバネ８に不要な応力がかかることになり、その応力によってサスペンションバネ８が変形を起こしたり、切断されるなどの不良に繋がる。
【００２０】
成形用金型の上層金型１０及び下層金型１１にサスペンションバネ８を押圧するピン１２を設け、そのピン１２の長さはサスペンションバネ８に接する上層金型１０の表面から３μｍから３０μｍまで突出して構成され、前記ピン１２を固定部３の第一主面６及び第二主面７を形成する４本、可動部４に第一主面６及び第二主面７を形成する５本挿入することで所望の特性を有する光ピックアップ用部品１を製作することができ、歩留りの向上につながる。
【産業上の利用可能性】
【００２１】
本発明は光ディスクプレーヤー等に用いられる光ピックアップ用部品とインサート射出成形技術に関して有用であり、特に合成樹脂及び金型を用いた光ピックアップ用部品に関するインサート射出成形に適している。
【図面の簡単な説明】
【００２２】
【図１】本発明の実施の形態１における光ピックアップ用部品の斜視図
【図２】本発明の実施の形態１における光ピックアップ用部品の正面図及び背面図
【図３】本発明の実施の形態２におけるインサート成形用金型の断面図
【図４】従来の光ピックアップ用部品の斜視図
【図５】従来のインサート成形用金型の断面図
【符号の説明】
【００２３】
１  光ピックアップ用部品
２  リードフレーム
３  固定部
４  可動部
５  開口部
６  第１主面
７  第２主面
８  サスペンションバネ
９  レンズ搭載部
１０  上層金型
１１  下層金型
１２  ピン
１０１  光ピックアップ用部品
１０２  リードフレーム
１０３  固定部
１０４  可動部
１０５  サスペンションバネ
１０６  レンズ搭載部
２１３  サスペンションバネ
２１４  上層金型
２１５  下層金型
２１６  樹脂成形体
【図１】
2006012342.tif 000004
【図２】
2006012342.tif 000005
【図３】
2006012342.tif 000006
【図４】
2006012342.tif 000007
【図５】
2006012342.tif 000008